(57)【特許請求の範囲】
【請求項１】
電柱に設置される柱上変圧器の上方において、前記柱上変圧器に接続される引下線を支持する引留部と、
前記柱上変圧器の上方において、前記柱上変圧器に接続される架線を支持し、前記引下線と前記架線との間を電気的に接続するか、又は、前記引下線と前記架線との間を電気的に遮断して前記引下線を接地短絡するカットアウト部と、を備え、
前記引留部と前記カットアウト部は、絶縁部材を用いて一体に形成されることを特徴とするカットアウト装置。
【請求項２】
前記カットアウト部は、前記引下線と前記架線との間を電気的に接続する第１器具と、前記引下線と前記架線との間を電気的に遮断して前記引下線を接地短絡する第２器具と、が選択的に着脱される着脱孔
を有することを特徴とする請求項１に記載のカットアウト装置。
【請求項３】
前記着脱孔は、前記第１器具及び前記第２器具が前記カットアウト部の下部から抜き差しされるように形成された孔である
ことを特徴とする請求項２に記載のカットアウト装置。
【請求項４】
前記カットアウト部は、前記着脱孔が下側を向くように前記電柱の腕金に固定される
ことを特徴とする請求項１乃至請求項３の何れか一項に記載のカットアウト装置。
【請求項５】
前記第１器具は、一定以上の電流が流れたときに溶断するヒューズを含む導電部材である
ことを特徴とする請求項２乃至請求項４の何れか一項に記載のカットアウト装置。
【請求項６】
前記第２器具は、前記着脱孔に装着された際に、前記引下線と前記架線とを電気的に遮断する絶縁部と、前記引下線を接地短絡する導電部と、を有する部材である
ことを特徴とする請求項２乃至請求項５の何れか一項に記載のカットアウト装置。
【発明の詳細な説明】
【技術分野】
【０００１】
本発明は、カットアウト装置に関する。
【背景技術】
【０００２】
電柱に設置されている柱上変圧器の一次側（高圧側）に対して、配電線から引き下げられている引下線を引留碍子を介して接続することが知られている（例えば特許文献１）。
【０００３】
図８は、電柱に設置されている柱上変圧器に対して引下線が接続されている様子を示す斜視図である。尚、説明の便宜上、柱上変圧器は単相３線式であることとする。
【０００４】
柱上変圧器１０１は、電柱１０２から水平に延びる腕金１０３上に設置された載置台１０４に載置され、結束バンド１０５を用いて電柱１０２における所定の高さ位置に固定されている。３相の配電線１０６は、電柱１０２から水平に延びる腕金１０７上に碍子１０８を介して架設されている。３相のうち何れか２相（例えばＲ相及びＳ相）の配電線１０６に対応する２本の引下線１０９は、腕金１０７と交差して水平に延びる腕金１１０に固定された２個の上部引留碍子１１１と、腕金１０３と交差して水平に延びる腕金１１２に固定された２個の下部引留碍子１１３と、の間に引き留められて引き下げられている。上部引留碍子１１１の位置において、２本の引下線１０９は、Ｒ相及びＳ相の配電線１０６から分岐される２本の分岐線１１４と電気的に接続されている。カットアウトスイッチ１１５は、下部引留碍子１１３とともに腕金１１２に固定され、下部引留碍子１１３に引き留められた引下線１０９を柱上変圧器１０１の一次側に接続し、下部引留碍子１１３と柱上変圧器１０１の一次側との間の電路を接続又は遮断する機能を有している。
【先行技術文献】
【特許文献】
【０００５】
【特許文献１】特開２０１３−１４１３６４号公報
【発明の概要】
【発明が解決しようとする課題】
【０００６】
柱上変圧器１０１の二次側（低圧側）に接続される負荷や分散型電源の増減に応じて柱上変圧器１０１のタップ調整を行う場合、カットアウトスイッチ１１５を開放して下部引留碍子１１３と柱上変圧器１０１の一次側との間の電路を遮断する。この場合、カットアウトスイッチ１１５の上流側である上部引留碍子１１１と下部引留碍子１１３との間の引下線１０９には配電線１０６からの電圧が生じていることから、作業者は、高圧用ゴム手袋を装着して柱上変圧器１０１の一次側に接地短絡器具を取り付けてからタップ調整を行っていた。しかし、作業者が柱上変圧器１０１の一次側に接地短絡器具を取り付ける作業は活線作業に準じて行う停電作業であることから、作業者の負担が増えて作業時間が長くなることに加え、作業者の技量に応じて作業時間が大幅に変わる等の問題があった。
【０００７】
また、既設の柱上変圧器１０１を別の柱上変圧器に吊り替える場合、配電線１０６と上部引留碍子１１１との間の分岐線１１４を間接活線工具（例えばホットスティック）を用いて切断する。そして、作業者は、上部引留碍子１１１から柱上変圧器１０１までの電路が停電していることを確認した後、結束バンド１０５を取り外してから別の柱上変圧器に吊り替えていた。しかし、分岐線１１４を切断する作業は間接活線作業であって多くの専用工具を必要とすることから、高所作業車を使用できないと作業効率が低下したり、作業者の負担が増えて作業時間が長くなったりすることに加え、作業者の技量に応じて作業時間が大幅に変わる等の問題があった。
【０００８】
本発明は、上記問題を解決するカットアウト装置を提供することを目的とする。
【課題を解決するための手段】
【０００９】
前述した課題を解決する主たる本発明は、電柱に設置される柱上変圧器の上方において、前記柱上変圧器に接続される引下線を支持する引留部と、前記柱上変圧器の上方において、前記柱上変圧器に接続される架線を支持し、前記引下線と前記架線との間を電気的に接続するか、又は、前記引下線と前記架線との間を電気的に遮断して前記引下線を接地短絡するカットアウト部と、を備え、前記引留部と前記カットアウト部は、絶縁部材を用いて一体に形成されることを特徴とするカットアウト装置である。
【００１０】
本発明の他の特徴については、添付図面及び本明細書の記載により明らかとなる。
【発明の効果】
【００１１】
本発明によれば、柱上変圧器のタップ調整や吊り替えを行うに際して、（１）高所作業車が不要になる、（２）作業時間が短縮される、（３）作業者の技量に起因する作業時間の差が小さくなる等の効果が得られる。
【図面の簡単な説明】
【００１２】
【図１】本実施形態に係るカットアウト装置を電柱に設置した場合の一例を示す斜視図である。
【図２】本実施形態に係るカットアウト装置の一例を示す図である。
【図３Ａ】本実施形態に係るカットアウト装置を腕金に固定した場合の一例を示す平面図である。
【図３Ｂ】本実施形態に係るカットアウト装置を腕金に固定した場合の一例を示す斜視図である。
【図４】本実施形態に係るカットアウト装置に導電器具が装着された状態を示す図である。
【図５】本実施形態に係るカットアウト装置から導電器具が取り外された状態を示す図である。
【図６】本実施形態に係るカットアウト装置に接地短絡器具が装着された状態を示す図である。
【図７】本実施形態に係るカットアウト装置から接地短絡器具が取り外された状態を示す図である。
【図８】電柱に設置されている柱上変圧器に対して引下線が接続されている様子を示す斜視図である。
【発明を実施するための形態】
【００１３】
本明細書および添付図面の記載により、少なくとも以下の事項が明らかとなる。
【００１４】
＝＝＝カットアウト装置の設置例＝＝＝
図１は、本実施形態に係るカットアウト装置を電柱に設置した場合の一例を示す斜視図である。尚、説明の便宜上、柱上変圧器２０１は３相単線式であることとする。
【００１５】
柱上変圧器２０１は、電柱２０２から水平に延びる腕金２０３上に設置された載置台２０４に載置され、結束バンド２０５を用いて電柱２０２における所定の高さ位置に固定されている。３相の配電線２０６は、電柱２０２から水平に延びる腕金２０７上に碍子２０８を介して架設されている。本実施形態において特徴的な機能を有するカットアウトスイッチ２０９（カットアウト装置）は、３相のうち何れか２相（例えばＲ相とＳ相）の配電線２０６に対応して２個設けられている。カットアウトスイッチ２０９は、腕金２０７の先端において腕金２０７と交差して水平に延びる腕金２１５の電柱２０２側の面に固定されている。カットアウトスイッチ２０９は、Ｒ相及びＳ相の配電線２０６から分岐される分岐線２１０と引下線２１１とを支持し、分岐線２１０と引下線２１１との間を電気的に接続するか、又は、分岐線２１０と引下線２１１との間を遮断して引下線２１１を接地短絡する機能を有している。尚、カットアウトスイッチ２０９の具体的な説明については後述する。引下線２１１は、カットアウトスイッチ２０９に対応して２本設けられている。２本の引下線２１１は、２個のカットアウトスイッチ２０９と、腕金２０３の先端において腕金２０３と交差して水平に延びる腕金２１２に固定された２個の引留碍子２１３と、の間に引き留められて引き下げられている。カットアウトスイッチ２１４は、引留碍子２１３とともに腕金２１２に固定され、引留碍子２１３に引き留められた引下線２１１を柱上変圧器２０１の一次側に接続し、引留碍子２１３と柱上変圧器２０１の一次側との間の電路を接続又は遮断する機能を有している。カットアウトスイッチ２１４は、一定以上の電流が流れたときに溶断するヒューズとしての機能も有している。
【００１６】
＝＝＝カットアウト装置＝＝＝
図２は本実施形態に係るカットアウト装置の一例を示す図である。
【００１７】
カットアウトスイッチ２０９は、絶縁性、耐候性、機械的強度等の要因を考慮して、例えば碍子と同様に磁器部材（絶縁部材）を用いて形成されている。カットアウトスイッチ２０９は、カットアウト部２０９Ａと引留部２０９Ｂが一体になって形成されている。
【００１８】
カットアウト部２０９Ａは、下側に開口２０９Ｃを有する中空形状を呈し、開口２０９Ｃを通して導電器具又は接地短絡器具を抜き差しするための長尺状の着脱孔２０９Ｄを有している。尚、導電器具及び接地短絡器具の具体的な説明については後述する。また、カットアウト部２０９Ａは、分岐線２１０を支持する支持部２０９Ｅと、支持部２０９Ｅを通して分岐線２１０と電気的に接続されるとともに着脱孔２０９Ｄの内周面側に露出して突出する端子２０９Ｆと、を有している。また、カットアウト部２０９Ａは、着脱孔２０９Ｄの端子２０９Ｆとは反対側において、引下線２１１と電気的に接続されるとともに着脱孔２０９Ｄの内周面側に露出して突出する端子２０９Ｇを有している。
【００１９】
引留部２０９Ｂは、端子２０９Ｇと電気的に接続される支持部２０９Ｈと、引下線２１１に一定の張力が付与されるように形成される引留溝２０９Ｉと、を有している。支持部２０９Ｈに接続された電線は、引下線２１１と電気的に接続されている。
【００２０】
図３Ａは本実施形態に係るカットアウト装置を腕金に固定した場合の一例を示す平面図、図３Ｂは本実施形態に係るカットアウト装置を腕金に固定した場合の一例を示す斜視図である。
【００２１】
カットアウト部２０９Ａの外周面には、カットアウトスイッチ２０９を腕金２１５に固定するための溝２０９Ｊが設けられている。溝２０９Ｊは、垂直方向に一定の幅を有するとともに水平方向に亘って設けられている。
【００２２】
固定金具２１６は、カットアウトスイッチ２０９と腕金２１５とを結合する金具である。固定金具２１６は、カットアウトスイッチ２０９の溝２０９Ｊに結合される固定部２１６Ａと、腕金２１５に結合される固定部２１６Ｂと、が一体になって形成されている。固定部２１６Ａは、垂直方向に溝２０９Ｊと同等の幅を有するとともに、カットアウトスイッチ２０９の外周面が嵌入される程度の径を有するリング形状を呈している。固定部２１６Ａの両端２１６Ｃ，２１６Ｄは、隙間を介して固定部２１６Ａの外側に向かって突出し、ボルト２１７が挿通される孔２１６Ｅを有している。固定部２１６Ｂは、コの字形状の腕金２１５の内側に挿入される平板形状を呈している。固定部２１６Ｂは、ボルト２１８が挿通される孔２１６Ｆを有している。また、腕金２１５は、ボルト２１８が挿通される孔２１５Ａを有している。
【００２３】
先ず、固定部２１６Ａをカットアウトスイッチ２０９に嵌入し、リング形状を呈する固定部２１６Ａの内周面が溝２０９Ｊに対向する位置において、孔２１６Ｅに挿通されるボルト２１７にナット２１９を螺合させる。そして、両端２１６Ｃ，２１６Ｄの間の隙間が小さくなる方向にボルト２１７及びナット２１９を締め付けると、固定部２１６Ａの径が小さくなることに伴って固定部２１６Ａが溝２０９Ｊに密着し、固定部２１６Ａはカットアウトスイッチ２０９に結合される。次に、固定部２１６Ｂを腕金２１５の内側に挿入し、腕金２１５の下側の孔２１５Ａから固定部２１６Ｂの孔２１６Ｆの方向に挿通されるボルト２１８にナット２２０を螺合させ、更に、腕金２１５の上側の孔２１５Ａに挿通されるボルト２１８の先端にナット２２１を螺合させる。そして、ボルト２１８及びナット２２０，２２１を締め付けると、固定部２１６Ｂは腕金２１５に結合される。このようにして、カットアウトスイッチ２０９は腕金２１５の電柱２０２側の面に固定されることになる。
【００２４】
＝＝＝導電器具＝＝＝
図２を参照して、本実施形態に係るカットアウト装置に装着される導電器具の一例について説明する。
【００２５】
導電器具３０１は、分岐線２１０と引下線２１１との間を電気的に接続する場合、開口２０９Ｃを通して着脱孔２０９Ｄに装着される器具である。導電器具３０１は、着脱孔２０９Ｄに装着された際に開口２０９Ｃから抜け落ちることがないように、例えば、着脱孔２０９Ｄに圧着される形状を呈するか、又は、着脱孔２０９Ｄに装着された後に着脱孔２０９Ｄの内周面に引っ掛かる形状を呈している。導電器具３０１は、導電部３０１Ａと絶縁部３０１Ｂが一体になって形成されている。導電部３０１Ａは、ヒューズ機能のない長尺状の金属部材である。導電器具３０１が着脱孔２０９Ｄに装着されると、導電部３０１Ａは端子２０９Ｆ，２０９Ｇと接触して分岐線２１０及び引下線２１１を電気的に接続する。絶縁部３０１Ｂは、切欠溝３０１Ｃを有している。間接活線工具（例えばホットスティック）を用いて着脱孔２０９Ｄに対して導電器具３０１の抜き差しを行う場合、切欠溝３０１Ｃには絶縁部３０１Ｂと間接活線工具との間を連結するための連結ピン３０１Ｄが取り付けられ、間接活線工具の先端が連結ピン３０１Ｄのピン孔３０１Ｅに装着される。
【００２６】
＝＝＝接地短絡器具＝＝＝
図２を参照して、本実施形態に係るカットアウト装置に装着される接地短絡器具の一例について説明する。
【００２７】
接地短絡器具４０１は、分岐線２１０と引下線２１１との間を電気的に遮断する場合、開口２０９Ｃを通して着脱孔２０９Ｄに装着される器具である。接地短絡器具４０１は、導電器具３０１と同様に、着脱孔２０９Ｄに装着された際に開口２０９Ｃから抜け落ちることがないように、例えば、着脱孔２０９Ｄに圧着される形状を呈するか、又は、着脱孔２０９Ｄに装着された後に着脱孔２０９Ｄの内周面に引っ掛かる形状を呈している。本実施形態においては、導電器具３０１と接地短絡器具４０１の外形状は同一であることとする。接地短絡器具４０１は、絶縁部４０１Ａと導電部４０１Ｂが一体になって形成されている。絶縁部４０１Ａは長尺状の部材である。接地短絡器具４０１が着脱孔２０９Ｄに装着されると、絶縁部４０１Ａは端子２０９Ｆ，２０９Ｇの間に介在して分岐線２１０及び引下線２１１の間の電路を遮断する。導電部４０１Ｂは、接地短絡器具４０１が着脱孔２０９Ｄに装着された際に端子２０９Ｇに接触する金属部材であって接地されている。つまり、接地短絡器具４０１が着脱孔２０９Ｄに装着されると、導電部４０１Ｂは端子２０９Ｇに接触して引下線２１１を接地短絡する。導電部４０１Ｂは、例えば、端子２０９Ｇに対向する位置において、絶縁部４０１Ａの周囲に対して一体となるように取り付けられている。絶縁部４０１Ａは、導電部４０１Ｂを境とする下側に切欠溝４０１Ｃを有している。間接活線工具を用いて着脱孔２０９Ｄに対して接地短絡器具４０１の抜き差しを行う場合、切欠溝４０１Ｃには絶縁部４０１Ａと間接活線工具との間を連結するための連結ピン４０１Ｄが取り付けられ、間接活線工具の先端が連結ピン４０１Ｄのピン孔４０１Ｅに装着される。
【００２８】
＝＝＝カットアウト装置の操作の一例＝＝＝
図４は、本実施形態に係るカットアウト装置に導電器具が装着された状態を示す図である。図５は、本実施形態に係るカットアウト装置から導電器具が取り外された状態を示す図である。図６は、本実施形態に係るカットアウト装置に接地短絡器具が装着された状態を示す図である。図７は、本実施形態に係るカットアウト装置から接地短絡器具が取り外された状態を示す図である。
【００２９】
先ず、導電器具３０１がカットアウトスイッチ２０９の着脱孔２０９Ｄに装着され、分岐線２１０と引下線２１１との間は電気的に接続されている（図４）。
【００３０】
次に、柱上変圧器２０１の二次側（低圧側）に接続される負荷や分散型電源の増減に応じて、柱上変圧器２０１のタップ調整や、柱上変圧器２０１から別の柱上変圧器への吊り替え等の作業を行う場合、導電器具３０１がカットアウトスイッチ２０９の着脱孔２０９Ｄから取り外され、分岐線２１０と引下線２１１との間の電路は遮断される（図５）。続いて、接地短絡器具４０１がカットアウトスイッチ２０９の着脱孔２０９Ｄに装着され、分岐線２１０と引下線２１１との間は電気的に遮断されたままで、引下線２１１は導電部４０１Ｂを通して接地短絡される（図６）。このようにカットアウトスイッチ２０９が図５の状態になると、カットアウトスイッチ２０９の下側に設置されている引下線２１１は全体に亘って確実に停電することになる。従って、柱上変圧器２０１のタップ調整や吊り替え等の作業を効率よく行うことが可能になる。
【００３１】
次に、柱上変圧器２０１のタップ調整や吊り下げ等の作業が終了すると、接地短絡器具４０１がカットアウトスイッチ２０９の着脱孔２０９Ｄから取り外され（図７）、導電器具３０１がカットアウトスイッチ２０９の着脱孔２０９Ｄに装着される（図４）。
【００３２】
以上説明したように、本実施形態に係るカットアウトスイッチ２０９は、電柱２０２に設置される柱上変圧器２０１の上方において、柱上変圧器２０１に接続される引下線２１１と配電線２０６から分岐する分岐線２１０とを支持し、引下線２１１と分岐線２１０との間を電気的に接続するか、又は、引下線２１１と分岐線２１０との間を電気的に遮断するとともに引下線２１１を接地短絡する。本実施形態によれば、カットアウトスイッチ２０９の下側に設置されている引下線２１１が全体に亘って確実に停電することから、柱上変圧器のタップ調整や吊り替え等の作業を効率よく行うことが可能になる。
【００３３】
また、本実施形態に係るカットアウトスイッチ２０９は、引下線２１１を支持する引留部２０９Ｂと、分岐線２１０を支持し、引下線２１１と分岐線２１０との間を電気的に接続するか、又は、引下線２１１と分岐線２１０との間を電気的に遮断して引下線２１１を接地短絡するカットアウト部２０９Ａと、を備え、引留部２０９Ｂ及びカットアウト部２０９Ａは、絶縁性、耐候性、機械的強度に優れた磁器部材を用いて一体に形成されている。本実施形態によれば、カットアウトスイッチ２０９を既設の引留碍子（高圧ピン碍子）と取り替えることが可能になる。
【００３４】
また、本実施形態に係るカットアウトスイッチ２０９において、カットアウト部２０９Ａは、引下線２１１と分岐線２１０との間を電気的に接続する導電器具３０１と、引下線２１１と分岐線２１０との間を電気的に遮断して引下線２１１を接地短絡する接地短絡器具４０１と、が選択的に着脱される着脱孔２０９Ｄを有する。本実施形態によれば、導電器具３０１を着脱孔２０９Ｄから取り外し、接地短絡器具４０１を着脱孔２０９Ｄに装着する操作を行うだけで、カットアウトスイッチ２０９の下側に設置されている引下線２１１が全体に亘って確実に停電することから、柱上変圧器２０１のタップ調整や吊り替え等の作業を行う際に、高所作業車を不要にし、作業時間を短縮し（需要家の停電時間を短縮し）、作業者の技量に起因する作業時間の差を小さくすることが可能になる。
【００３５】
また、本実施形態に係るカットアウトスイッチ２０９において、着脱孔２０９Ｄは、導電器具３０１及び接地短絡器具４０１がカットアウト部２０９Ａの下側から抜き差しされるように形成された孔であることとする。
【００３６】
また、本実施形態に係るカットアウトスイッチ２０９において、カットアウト部２０９Ａは、着脱孔２０９Ｄが下側を向くように腕金２１５に固定されることとする。
【００３７】
また、本実施形態に係るカットアウトスイッチ２０９において、導電器具３０１は、一定以上の電流が流れたときに溶断するヒューズを含む導電部材であることとする。
【００３８】
また、本実施形態に係るカットアウトスイッチ２０９において、接地短絡器具４０１は、着脱孔２０９Ｄに装着された際に、引下線２１１と分岐線２１０とを電気的に遮断する絶縁部４０１Ａと、引下線２１１を接地短絡する導電部４０１Ｂと、を有する金属部材であることとする。
【００３９】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００４０】
２０１  柱上変圧器
２０２  電柱
２０３，２０７，２０８，２１２  腕金
２０４  載置台
２０５  結束バンド
２０６  配電線
２０９  カットアウトスイッチ
２０９Ａ  カットアウト部
２０９Ｂ  引留部
２０９Ｃ  開口
２０９Ｄ  着脱孔
２０９Ｅ  支持部
２０９Ｆ，２０９Ｇ  端子
２１０  分岐線
２１１  引下線
３０１  導電器具
３０１Ａ  導電部
３０１Ｂ  絶縁部
４０１  接地短絡器具
４０１Ａ  絶縁部
４０１Ｂ  導電部
【図１】
0005973525.tif 000002
【図２】
0005973525.tif 000003
【図３Ａ】
0005973525.tif 000004
【図３Ｂ】
0005973525.tif 000005
【図４】
0005973525.tif 000006
【図５】
0005973525.tif 000007
【図６】
0005973525.tif 000008
【図７】
0005973525.tif 000009
【図８】
0005973525.tif 000010